(57)【要約】【課題】海洋深層水を利用したコーヒーの果実の栽培方法及びそれを利用した高品質のコーヒーの開発を提供する。【解決手段】本発明は、（ａ）海洋深層水の原液に水を混合して海洋深層水の希釈液を準備する段階と、（ｂ）コーヒーの木に該（ａ）段階の準備した海洋深層水の希釈液を灌水する段階と、を含むことを特徴とする生育及び栄養成分の含量が増進したコーヒーの果実の栽培方法、該方法で栽培された生育及び栄養成分の含量が増進したコーヒーの果実及び該コーヒーの果実を利用した加工食品に関するものである。【選択図】図４
2019000096.tif 000002
【特許請求の範囲】
【請求項１】
（ａ）海洋深層水の原液に水を混合して海洋深層水の希釈液を準備する段階と、
（ｂ）コーヒーの木に前記（ａ）段階の準備した海洋深層水の希釈液を灌水する段階と、
を含むことを特徴とする生育及び栄養成分の含量が増進したコーヒーの果実の栽培方法。
【請求項２】
前記海洋深層水の希釈液は、２〜６％（ｖ／ｖ）の海洋深層水の希釈液であることを特徴とする請求項１に記載のコーヒーの果実の栽培方法。
【請求項３】
前記灌水は、２〜４日間隔で灌水することを特徴とする請求項１に記載のコーヒーの果実の栽培方法。
【請求項４】
前記栄養成分は、カルシウム及び鉄からなる群から選択される１つ以上であることを特徴とする請求項１に記載のコーヒーの果実の栽培方法。
【請求項５】
（ａ）海洋深層水の原液に水を混合して２〜６％（ｖ／ｖ）の海洋深層水の希釈液を準備する段階と、
（ｂ）コーヒーの木に前記（ａ）段階の準備した海洋深層水の希釈液を２〜４日間隔で灌水する段階と、
を含むことを特徴とする請求項１に記載の生育及び栄養成分の含量が増進したコーヒーの果実の栽培方法。
【請求項６】
請求項１ないし請求項５のうち何れか一項に記載の方法で栽培された生育及び栄養成分の含量が増進したコーヒーの果実。
【請求項７】
請求項６に記載の生育及び栄養成分の含量が増進したコーヒーの果実を利用した加工食品。
【発明の詳細な説明】
【技術分野】
【０００１】
本発明は、（ａ）海洋深層水の原液に水を混合して海洋深層水の希釈液を準備する段階と、（ｂ）コーヒーの木に該（ａ）段階の準備した海洋深層水の希釈液を灌水する段階と、を含むことを特徴とする生育及び栄養成分の含量が増進したコーヒーの果実の栽培方法、該方法で栽培された生育及び栄養成分の含量が増進したコーヒーの果実及び該コーヒーの果実を利用した加工食品に関する。
【背景技術】
【０００２】
海洋深層水とは、太陽光が到達しない水深２００ｍ以上の深い海に存在して、水温が年中２℃以下に安定している清浄な海水であって、大韓民国の場合、東海に北太平洋で湧昇した海洋深層水が流入され、その特性を説明すれば、次の通りである。第１に、海洋深層水は、表層水と比較して栄養塩物質、特に、植物性長に必要な硝酸塩、リン酸塩及びケイ酸塩などの無機栄養塩物質が豊かである。第２に、海洋深層水は、元素の組成比が生物体の組成比と類似し、地球上に存在するほとんどの元素を含有しており、水質を悪化させる粒状及び溶存状の可分解性有機物と懸濁物とが少なく、病原菌、細菌類、有害な寄生虫、付着生物及び環境ホルモンなどの有害な人工汚染物が少ない。第３に、海洋深層水は、年中水温が表層水に比べて低い。第４に、海水としては無機化が進められており、水質が物理化学的及び微生物学的に安定し、水質の変動が少なくて安定的である。最後に、海洋深層水は、低温安定性、清浄性、富栄養性、熟成性、ミネラル性などの資源的特性を有する。したがって、このような特性を有する海洋深層水は、陸上の清浄養殖、高級飲用水開発、高付加価値の新物質抽出、清浄エネルギー開発、水産、有用物質生産、エネルギー回収などの多様な分野において、資源的価値が高く、再生循環型なので、よく利用すれば、枯渇の恐れがない、きれいな大型資源であると言える。
【０００３】
コーヒーは、アカネ科（Ｒｕｂｉａｃｅａｅ）コフィア属（Ｃｏｆｆｅａ）に属し、商業的に栽培する品種は、大きくアラビカ（Ａｒａｂｉｃａ）とロブスタ（Ｒｏｂｕｓｔａ−ｃａｎｅｐｈｏｒａ）、そして、リベリカ（Ｌｉｂｅｒｉｃａ）の３種に分けられる。コーヒーは、苦味、渋味、酸味、甘味などが調和されて作られる代表的な飲料であって、全世界的に最も広く飲用されている嗜好食品であって、大韓民国でもコーヒー専門店の拡散と自家消費の増加などコーヒー市場が持続的に成長している。
【０００４】
コーヒーは、覚醒効果及び気分転換などの精神的な効果はもとより、アルツハイマー病やパーキンソン病などの神経学的疾患と酸化的ストレスによる代謝性疾患との危険を減少させるものとよく知られている。適当なコーヒー摂取は、子供と妊産婦とを除いた一般成人の健康に多くの肯定的な影響を与えるが、これは、ポリフェノール化合物、トコフェロールなどの各種の生理活性成分などがコーヒーに含有されており、クロロゲン酸（Ｃｈｌｏｒｏｇｅｎｉｃａｃｉｄ）、カフェイン（Ｃａｆｆｅｉｎｅ）、メラノイジン（Ｍｅｌａｎｏｉｄｉｎ）のような抗酸化物質が存在するためである。
【０００５】
特許文献１には、海洋深層水を用いて赤色発現に優れた野菜の栽培方法が開示されており、特許文献２には、海洋深層水を利用したフルーツの栽培方法が開示されているが、海洋深層水を用いてコーヒーを栽培する技術は全くない実情である。
【先行技術文献】
【特許文献】
【０００６】
【特許文献１】大韓民国公開特許第２０１２−００２２３９６号
【特許文献２】大韓民国公開特許第２０１１−００５４７１６号
【発明の概要】
【発明が解決しようとする課題】
【０００７】
本発明は、前記のような要求によって考案されたものであって、本発明では、コーヒーの果実を栽培するに当たって、コーヒーの果実の生育及び栄養成分の含量を増進させるために、コーヒーの木に適正濃度の海洋深層水を灌水して、無処理または他の濃度の海洋深層水で灌水して栽培されたコーヒーの果実に比べて、生育及び栄養成分の含量が増進したコーヒーの果実の栽培方法を確立するところにその目的がある。
【課題を解決するための手段】
【０００８】
前記課題を解決するために、本発明は、（ａ）海洋深層水の原液に水を混合して海洋深層水の希釈液を準備する段階と、（ｂ）コーヒーの木に前記（ａ）段階の準備した海洋深層水の希釈液を灌水する段階と、を含むことを特徴とする生育及び栄養成分の含量が増進したコーヒーの果実の栽培方法を提供する。
【０００９】
また、本発明は、前記方法で栽培された生育及び栄養成分の含量が増進したコーヒーの果実を提供する。
【００１０】
また、本発明は、前記生育及び栄養成分の含量が増進したコーヒーの果実を利用した加工食品を提供する。
【発明の効果】
【００１１】
本発明の、特定濃度の海洋深層水を灌水して栽培されたコーヒーの果実は、海洋深層水を使用しないか、他の濃度の海洋深層水を灌水して栽培されたコーヒーの果実に比べて、生育が増進し、カルシウム及び鉄のような栄養成分の含量が向上して、コーヒー栽培農家の所得増大を図り、消費者には、高品質のコーヒーを提供することができる。
【図面の簡単な説明】
【００１２】
【図１】３ヶ月間海洋深層水を濃度別に処理して栽培したコーヒーの幼苗の外観と熱画像カメラで撮った写真とを比較したものである。Ｃｏｎ：海洋深層水無処理、１：５％の濃度の海洋深層水処理、２：１０％の濃度の海洋深層水処理、３：２０％の濃度の海洋深層水処理、４：４０％の濃度の海洋深層水処理
【図２】海洋深層水を濃度別に処理して栽培したコーヒーの葉のＲＥＣ（ｒｅｌａｔｉｖｅ  ｅｌｅｃｔｒｉｃ  ｃｏｎｄｕｃｔｉｖｉｔｙ, 相対的電気伝導度）を比較したグラフである。Ｃｏｎｔｒｏｌ：海洋深層水無処理、ＤＳＷ：海洋深層水（ｄｅｅｐ  ｓｅａ  ｗａｔｅｒ）
【図３】海洋深層水を濃度別に処理して栽培したコーヒーの葉のＲＷＣ（ｒｅｌａｔｉｖｅ  ｗａｔｅｒ  ｃｏｎｔｅｎｔ, 相対的水含量 ）を比較したグラフである。Ｃｏｎｔｒｏｌ：海洋深層水無処理、ＤＳＷ：海洋深層水
【図４】海洋深層水を濃度別に処理して栽培したコーヒーの果実を収獲後、６０℃で１日乾燥した果実（Ｂ）、収穫した後、６０℃で７日乾燥した果実（Ａ）の写真を比較したものである。１：海洋深層水無処理、２：５％の濃度の海洋深層水処理、３：１０％の濃度の海洋深層水処理
【図５】海洋深層水を濃度別に処理して栽培したコーヒーの果実を収獲後、６０℃で１日乾燥した果実の長さ（Ｌｅｎｇｔｈ）及び幅（Ｗｉｄｔｈ）を比較したグラフである。Ｃｏｎｔｒｏｌ：海洋深層水無処理、ＤＳＷ：海洋深層水
【図６】海洋深層水を濃度別に処理して栽培したコーヒーの果実を収獲後、６０℃で１日乾燥した果実の重量を比較したグラフである。Ｃｏｎｔｒｏｌ：海洋深層水無処理、ＤＳＷ：海洋深層水
【図７】海洋深層水を濃度別に処理して栽培したコーヒーの果実のサイズを比較した写真である。１：海洋深層水無処理、２：５％の濃度の海洋深層水処理、３：１０％の濃度の海洋深層水処理
【図８】海洋深層水を濃度別に処理して栽培したコーヒーの果実の重量を比較したグラフである。Ｃｏｎｔｒｏｌ：海洋深層水無処理、ＤＳＷ：海洋深層水
【図９】海洋深層水を濃度別に処理して栽培したコーヒーの果実の長さ及び幅を比較したグラフである。Ｃｏｎｔｒｏｌ：海洋深層水無処理、ＤＳＷ：海洋深層水
【図１０】海洋深層水を濃度別に処理して栽培した後、収穫したコーヒーの果実（Ａ）と、収穫した後、乾燥したコーヒーの果実（Ｂ）と、を比較した写真である。１：海洋深層水無処理、２：５％の濃度の海洋深層水処理、３：１０％の濃度の海洋深層水処理
【図１１】海洋深層水を濃度別に処理して栽培し、収穫した後、乾燥したコーヒーの果実の重量を比較したグラフである。Ｃｏｎｔｒｏｌ：海洋深層水無処理、ＤＳＷ：海洋深層水
【図１２】海洋深層水を濃度別に処理して栽培し、収穫した後、乾燥したコーヒーの果実の長さ及び幅を比較したグラフである。Ｃｏｎｔｒｏｌ：海洋深層水無処理、ＤＳＷ：海洋深層水
【発明を実施するための形態】
【００１３】
本発明の目的を達成するために、本発明は、（ａ）海洋深層水の原液に水を混合して海洋深層水の希釈液を準備する段階と、（ｂ）コーヒーの木に前記（ａ）段階の準備した海洋深層水の希釈液を灌水する段階と、を含むことを特徴とする生育及び栄養成分の含量が増進したコーヒーの果実の栽培方法を提供する。
【００１４】
本発明のコーヒーの果実の栽培方法で、前記海洋深層水の希釈液は、望ましくは、２〜６％（ｖ／ｖ）の海洋深層水の希釈液であり、さらに望ましくは、２．５〜５％（ｖ／ｖ）の海洋深層水の希釈液であり得る。前記のような濃度の海洋深層水の希釈液でコーヒーを栽培することが、コーヒーの木の生育に影響を与えず、コーヒーの果実のサイズと重量とを高め、コーヒーの果実内のカルシウム及び鉄のような栄養成分も最大に高めることができた。
【００１５】
また、本発明のコーヒーの果実の栽培方法で、前記灌水は、望ましくは、２〜４日間隔で灌水し、さらに望ましくは、３〜３．５日間隔で灌水することができるが、これに制限されるものではない。
【００１６】
また、本発明のコーヒーの果実の栽培方法で、前記栄養成分は、カルシウム及び鉄からなる群から選択される１つ以上であり得るが、これに制限されるものではない。
【００１７】
本発明のコーヒーの果実の栽培方法は、より具体的には、（ａ）海洋深層水の原液に水を混合して２〜６％（ｖ／ｖ）の海洋深層水の希釈液を準備する段階と、（ｂ）コーヒーの木に前記（ａ）段階の準備した海洋深層水の希釈液を２〜４日間隔で灌水する段階と、を含み、さらに具体的には、（ａ）海洋深層水の原液に水を混合して２．５〜５％（ｖ／ｖ）の海洋深層水の希釈液を準備する段階と、（ｂ）コーヒーの木に前記（ａ）段階の準備した海洋深層水の希釈液を３〜３．５日間隔で灌水する段階と、を含みうる。
【００１８】
本発明は、また、前記方法で栽培された生育及び栄養成分の含量が増進したコーヒーの果実を提供する。
【００１９】
本発明は、また、前記生育及び栄養成分の含量が増進したコーヒーの果実を利用した加工食品を提供する。前記加工食品の種類には、特に制限はない。加工食品の例としては、豆、コーヒー、肉類、ソーセージ、パン、チョコレート、キャンディー類、スナック類、菓子類、ピザ、ラーメン、その他の麺類、ガム類、アイスクリーム類を含んだ酪農製品、各種のスープ、飲料水、お茶、ドリンク剤、アルコール飲料及びビタミン複合剤などがあり、通常の意味での加工食品をいずれも含む。
【実施例】
【００２０】
以下、本発明の実施例を挙げて詳しく説明する。但し、下記の実施例は、本発明を例示するものであり、本発明の内容が、下記の実施例に限定されるものではない。
【００２１】
実施例１：東海の海洋深層水の希釈液の製造
本発明に使用した東海の海洋深層水原水の一般的特徴は、下記表１のようである。本発明に使われた海洋深層水は、溶存酸素量が多く、有機物質が少なく、微生物数が少ない特徴がある。東海の海洋深層水原水に対して蒸留水をそれぞれ４０倍、２０倍、１０倍、５倍、２．５倍を混合希釈して、２．５％、５％、１０％、２０％、４０％の海洋深層水の希釈液を製造した。
【００２２】
【表１】
2019000096.tif 000003
【００２３】
実施例２：海洋深層水を用いて栽培されたコーヒーの幼苗の生育及び生理的特性
大韓民国の江原大学校の圃場内の施設ハウスで生育したコーヒーの幼苗を対象にして、２０１６年３月から７月まで実験を行い、均一化されたコーヒーの幼苗を選抜して、直径１８ｃｍの黒色ポットに移植した。土壌の構成は、壌質土と腐植質（２：１）とを使用し、それぞれポット当たり５個ずつ３反復で毎週２回ずつ２ヶ月間海洋深層水の濃度０％、５％、１０％、２０％、４０％を１回当たり３３０ｍＬずつ灌注した。ハウス内管理は、温度１５〜２４℃を保持した。
【００２４】
（１）コーヒーの幼苗の生長
移植後、１５日、３０日、４５日、６０日に海洋深層水処理されたコーヒーの幼苗の生長（草丈、茎の厚さ、葉長、葉幅）を調査した。その結果、草丈は、あらゆる処理区で統計学的な差がなかったが、茎の厚さ、葉長及び葉幅の場合、２０％及び４０％の濃度の海洋深層水処理区の場合、処理６０日目に生長が劣るということを確認することができた。一方、５％及び１０％の海洋深層水処理区は、対照区と生長において有意差はなかった。
【００２５】
【表２】
2019000096.tif 000004
【００２６】
（２）コーヒーの幼苗の生長及び熱画像カメラ比較
海洋深層水を用いて３ヶ月間コーヒーの幼苗を栽培した後、外観と熱画像カメラで撮って比較した。その結果、４０％の海洋深層水を用いてコーヒー栽培時に、幼苗が成長することができず、２０％の海洋深層水を用いてコーヒーを栽培する場合にも、幼苗の生育が劣るということを確認することができた。したがって、５〜１０％の海洋深層水を用いてコーヒーを栽培することが望ましいということを確認することができた（図１）。
【００２７】
実施例３：海洋深層水を用いて栽培されたコーヒーの葉の生育及び生理的特性
（１）コーヒーの葉の葉緑素含量
海洋深層水の各処理区別のコーヒーの葉の葉緑素測定は、移植７５日に時間別（朝、昼、夕方）に調査した。海洋深層水の濃度を異ならせて、コーヒーを栽培した結果、海洋深層水を処理していないコーヒー（ｃｏｎｔｒｏｌ）に比べて、海洋深層水を用いて栽培したコーヒーの葉の葉緑素がさらに高い含量を示した（表３）。しかし、４０％の海洋深層水を用いてコーヒー栽培時に、幼苗が成長することができず、葉緑素含量を測定することができなかった。
【００２８】
【表３】
2019000096.tif 000005
【００２９】
（２）コーヒーの葉の電気伝導度
海洋深層水の濃度処理別のコーヒーの葉を採取して、コーヒーの葉での海洋深層水に対する生理的反応のうち、海洋深層水塩に対する反応調査で相対的電気伝導度を調査した。調査過程は、処理区別の各葉に直径３ｃｍの葉ディスク（ｌｅａｆ  ｄｉｓｋｓ）をパンチして（各処理区当たり３個ずつ）、１５ｍｌの蒸留水に入れ、振った後、室温で１２時間間放置した後、初期電気伝導度（Ｓ１）を測定し、１５分間１００℃で熱を加えた後、室温で溶液を冷やした後、ＥＣメーター（Ｍｅｔｔｌｅｒ−Ｔｏｌｅｄｏ  ＧｍｂＨ  ８６０３  Ｓｃｈｗｅｒｚｅｎｂａｃｈ，Ｓｗｉｔｚｅｒｌａｎｄ）機器を用いて最終電気伝導度（Ｓ２）を測定した。海洋深層水の濃度処理別のコーヒーの葉での相対電気伝導度ＲＥＣ値を求める方式は、下記式のようである。
【００３０】
ＲＥＣ（％）＝Ｓ１／Ｓ２×１００
【００３１】
その結果、海洋深層水処理濃度２０％及び４０％では、それぞれ３６％、９５．２％であって、海洋深層水５％及び１０％の処理濃度１４．５％よりも多少高く表われた（図２）。
【００３２】
（３）コーヒーの葉の相対水分含量の測定
海洋深層水の濃度処理別のコーヒーの葉を採取して、相対水分含量ＲＷＣの測定は、下記式によって計算した。
【００３３】
ＲＷＣ（％）＝（（ＦＷ−ＤＷ）／（ＴＷ−ＤＷ））×１００
【００３４】
ＦＷ：葉生重量（ｌｅａｆ  ｆｒｅｓｈ  ｗｅｉｇｈｔ）、ＴＷ：葉飽和重量（ｌｅａｆ  ｔｕｒｇｉｄ  ｗｅｉｇｈｔ）、ＤＷ：葉乾燥重量（ｌｅａｆ  ｄｒｙ  ｗｅｉｇｈｔ）
【００３５】
その結果、対照区で８４．５％に最も高く表われ、海洋深層水処理濃度５％及び１０％では、対照区との差が２〜３％内外にしおれ症状に対して回復可能状態を示した一方、海洋深層水２０％及び４０％の処理区では、対照区と３％以上差を示して、回復不能状態を示した（図３）。
【００３６】
（４）海洋深層水を用いて栽培されたコーヒーの葉の気孔観察
海洋深層水の濃度を異ならせて、栽培中であるコーヒーの木の葉を採取して、気孔を顕微鏡で観察し、気孔数、長さ及び幅を測定して比較した。
【００３７】
【表４】
2019000096.tif 000006
【００３８】
その結果、海洋深層水処理濃度が高くなるほど、気孔数と長さ及び幅が減少した。５％の海洋深層水処理コーヒーの葉の場合、対照区と有意差はなく、５％の海洋深層水を用いてコーヒーを栽培することが望ましいと判断された。
【００３９】
実施例４：海洋深層水処理後、土壌の成分調査
海洋深層水の濃度別処理実験後、ポットに残っている土壌を対象にして、土壌分析を実施した。土壌サンプルは、各処理区当たり３反復で次のような方式で江陵市農業技術センター土壌分析室で実施し、測定方法は、下記のようである。
【００４０】
酸度（ｐＨ）測定：ＥＣ測定器、有機物分析：チューリン（Ｔｙｕｒｉｎ）法、リン酸（有効リン酸）：ランカスター（Ｌａｎｃａｓｔｅｒ）法、陽イオン：１Ｎ  酢酸アンモニウム浸出法（ＩＣＰ−ＡＥＳ機器使用）、石灰所要量：ＯＲＤ法
【００４１】
【表５】
2019000096.tif 000007
【００４２】
その結果、海洋深層水処理後、土壌での成分調査は、およそ対照区と同様の結果を示したが、土壌ＥＣ測定では、海洋深層水処理区１０〜４０％の濃度では多少高く示した。
【００４３】
実施例５：海洋深層水を活用したコーヒーの木の栽培環境の設定
（１）施設ハウス造成
江原大学校の実習圃場に約４５０ｍ２の海洋深層水コーヒー専門研究圃場を造成して、海洋深層水を活用したコーヒー生豆生産研究を行った。温室は、３個の棟からなっており、各区画のサイズは、７ｍ×２５ｍである。土壌は、砂壌土で水捌けが良く、同時に保水力も良好な真砂土系統である。温室は、自動綿花層と温室内の均一な空気循環のために、換気システムを設置し、日光の強度調節と強い日光にコーヒーの木を保護するために、白色と黒色カラーカバーを利用した。ポンプを使用して灌注した。
【００４４】
コーヒー温室は、他の温室の形態とは差があるように設計された。熱損失を防ぐために、１つの大きな温室内にさらに他の温室を設置して、コーヒーの木が育ちやすい環境を作った。コーヒーの木は、３個の区画に植えられ、１区画当たり３〜４列になっている。木の間の間隔は、２ｍであり、行間隔は、２．５ｍである。１区画に７０個のコーヒーの木が植えられており、全体３個の区画に２１０個の木を植栽した。また、それ以外にも、３００個の小さな植木鉢にコーヒーの木と苗を植栽した。
【００４５】
（２）生育適正温度保持
温度は、コーヒーの木の生長に最も重要な条件であって、アラビカコーヒーの理想的な生育温度は１５〜２４℃である。江原道の冬は、コーヒーが生長するのに適していない低温なので、おがくずを利用したストーブと灯油を使用して、温室の温度を夜には１０〜１２℃に、昼には１８〜２２℃に保持した。また、温室外壁に稲わらを積んで熱の損失を防いだ。
【００４６】
（３）水と肥料の供給
水は、コーヒーの木の栽培において非常に重要である。木１本当たり６Ｌの水を３日間隔で注ぐ。肥料は、灌注システムを使用して１ヵ月に１回注ぎ、植物性長に必要なＮ、Ｐ、Ｋを注ぐ。Ｎ、Ｐ、Ｋの比率は、植物当たり４６〜５０ｍｌ、２０ｍｌ、５０ｍｌを提供した。それ以外には、ポリフィードを水に溶かして灌注し、木の生長に役に立つ栄養剤及び肥料を必要時ごとに適正量供給した。
【００４７】
（４）剪定作業
剪定作業は、コーヒーの木の枝が四方に育てば、弱くなるので、木を強く、元気にするために、また多量の果実を得るために、必要な作業であって、高さ１．７ｍを保持するように進行した。１．７ｍ上の芽は、出る次第に除去した。吸枝と古い枝は、剪定作業を通じて除去した。コーヒーの木が倒れなくするために、そして、果実を結ぶ時期の間に、コーヒーの木を保護するために、それぞれの木に金属棒を使用して支持させた。マルチングは、コーヒーの木がよく育ち、行の間の空間に雑草抑制のために、黒色ビニールを使用して覆った。また、ウッドチップと古い葉を使用してコーヒーの木の周辺と間の空間を覆うのに使用した。
【００４８】
実施例６：海洋深層水を用いて栽培されたコーヒーの果実の生育
海洋深層水の濃度を異ならせて、コーヒーを栽培した時、各濃度別にコーヒーの果実の生育の差を比較して、コーヒーの生産を増大することができる海洋深層水の濃度を決定しようとした。海洋深層水の濃度は、予備実験の結果を通じて決定された５％及び１０％に準備した。
【００４９】
実験方法は、コーヒーの木の６〜８月開化後、予備実験を通じて決定した最適の深層水濃度５％、１０％を処理した。以後、１次で２０１６年１１月２４日、２次で２０１７年１月９日に、各処理区のコーヒーの果実をサンプリングして、生体重、乾物重、サイズを比較した。
【００５０】
花粉受精後、夏の間にコーヒーの果実の形成過程のうち、海洋深層水を濃度別（Ｃｏｎｔｒｏｌ、５％、１０％）に処理し、１次収獲後、比較した結果、５％の濃度の海洋深層水処理区でコーヒーの果実のサイズ及び重量が他の処理区に比べて最も良かった。サイズでは、１０％の海洋深層水処理区や対照区いずれも類似しているが、重量では、対照区よりも１０％の海洋深層水処理区でコーヒーの果実の重量が高く測定された（図４ないし図６）。
【００５１】
２０１７年１月９日に海洋深層水処理区２次サンプル調査で、各処理区別３０個体に対する生体重を測定した時、対照区２３．５９ｇ、５％の海洋深層水処理区２９．６５ｇ、１０％の海洋深層水処理区２７．３２ｇに表われて、５％の処理区で生体重が最も高く表われた。２次収獲後、海洋深層水の濃度別にコーヒーの果実のサイズを比較した結果、５％の処理区と１０％の処理区でのコーヒーの果実のサイズが対照区よりも遥かに大きく表われ、５％の処理区のサイズが１０％の処理区よりも大きく表われた（図７ないし図９）。
【００５２】
２０１７年１月９日に海洋深層水処理区に対する２次サンプル調査で、３０個体処理区を６０℃で７日間乾燥した後、重量測定した結果、対照区３．４９ｇ、５％の海洋深層水処理区４．６３ｇ、１０％の海洋深層水処理区では、４．３８ｇに表われて、５％の海洋深層水処理区の乾燥重量が最も高く表われた。また、サイズでも、乾燥したコーヒーの果実で５％の海洋深層水処理区が最も大きなものと表われた（図１０ないし図１２）。
【００５３】
結果的に、海洋深層水処理したコーヒーの果実が対照区に比べて、サイズ、生体重及び乾物重がさらに高く表われ、特に、５％の濃度の海洋深層水を用いて栽培することが、コーヒーの果実のサイズと重量とを高めるのに最も望ましいということを確認することができた。
【００５４】
実施例７：海洋深層水を用いて栽培されたコーヒーの果実の栄養成分の比較
海洋深層水の濃度を異ならせて、コーヒーを栽培した時、各濃度別にコーヒーの果実に含まれた栄養成分を比較した結果は、下記表６のようである。その結果、海洋深層水を使用せずに栽培したコーヒーの果実（ｃｏｎｔｒｏｌ）に比べて、海洋深層水を用いて栽培したコーヒーの果実がさらに高いタンパク質、カルシウム及び鉄含量を示した。カルシウム及び鉄含量の場合、２．５〜５％の濃度の海洋深層水を用いて栽培したコーヒーの果実が最も高い含量を示した。また、ナトリウム含量の場合、対照区に比べて、２．５〜５％の濃度の海洋深層水で栽培したコーヒーの果実がむしろさらに低い含量を示した。
【００５５】
【表６】
2019000096.tif 000008
【００５６】
実施例８：海洋深層水を用いて栽培されたコーヒーの果実の官能検査
本発明の海洋深層水を用いて栽培されたコーヒーの果実から得たコーヒー生豆をロースティングした。前記ロースティングしたそれぞれの豆を粉砕した後、浄水水を加えてハンドドリップしてコーヒーを抽出し、官能検査を実施した。官能検査を江原大学校の学生３０人を対象にして、５点評点法によって、香、味、全般的な嗜好度をテスト（１：非常に悪い、２：悪い、３：普通である、４：良い、５：非常に良い）して、その結果を下記表７に示した。苦味に対する嗜好度は、苦味の程度によって、１点：苦味がほとんどない、３点：苦味が普通、５点：苦味が強いと評価した。
【００５７】
比較例は、海洋深層水を使用せずに栽培したコーヒーの果実から得たコーヒー生豆をロースティングした後、粉砕した豆粉末に５％の濃度の海洋深層水の希釈液を加えてハンドドリップしてコーヒーを製造したことを意味する。
【００５８】
【表７】
2019000096.tif 000009
【００５９】
前記表７から分かるように、香、味及び全般的な嗜好度で５％の海洋深層水で栽培したコーヒーの果実を利用したコーヒーが最も高い点数を示し、対照区のように海洋深層水を使用せずに栽培したコーヒーの果実を利用したコーヒーが最も低い点数を示した。また、苦味に対する点数は、５％の海洋深層水で栽培したコーヒーの果実を利用したコーヒーが最も低い点数を示して、苦味が弱いということを確認することができた。
【図１】
2019000096.tif 000010
【図２】
2019000096.tif 000011
【図３】
2019000096.tif 000012
【図４】
2019000096.tif 000013
【図５】
2019000096.tif 000014
【図６】
2019000096.tif 000015
【図７】
2019000096.tif 000016
【図８】
2019000096.tif 000017
【図９】
2019000096.tif 000018
【図１０】
2019000096.tif 000019
【図１１】
2019000096.tif 000020
【図１２】
2019000096.tif 000021